(57)【要約】【課題】同等の通信環境にある通信端末に対しては、受信ウィンドウサイズが異なっても同等のスループットを達成することができるように通信機会を割り当てることができるスケジューリング方式を提供することである。【解決手段】本発明に係る通信システムは、第１通信装置１０および当該第１通信装置１０と通信可能な第２通信装置２０を含む通信システムにおいて、第１通信装置１０は、第２通信装置２０と通信する第１通信部１１０と、第１通信部を介して取得した、第１通信装置１０と第２通信装置２０の間の通信品質第２通信装置２０の受信ウィンドウサイズと、過去一定期間の平均スループットとに基づいて、第２通信装置２０への通信機会の割り当てをスケジューリングする第１スケジューラ１２４とを備えることを特徴とする。【選択図】図１
2013030936.tif 000002
【特許請求の範囲】
【請求項１】
第１通信装置および当該第１通信装置と通信可能な第２通信装置を含む通信システムにおいて、
前記第１通信装置は、
前記第２通信装置と通信する第１通信部と、
前記第１通信部を介して取得した、前記第１通信装置と前記第２通信装置の間の通信品質および前記第２通信装置の受信ウィンドウサイズと、過去一定期間の平均スループットとに基づいて、前記第２通信装置への通信機会の割り当てをスケジューリングする第１スケジューラと
を備えることを特徴とする通信システム。
【請求項２】
請求項１に記載の通信システムであって、
前記第２通信装置は、
前記第１通信装置と通信する第２通信部と、
前記受信ウィンドウサイズを通信状況に基づいて決定するウィンドウサイズ決定部と、
前記受信ウィンドウサイズを前記第２通信部に送信させる第２制御部と
を備えることを特徴とする通信システム。
【請求項３】
請求項１または２に記載の通信システムであって、
さらに、前記第１通信装置と前記第２通信装置との間で送受信されるデータを中継する第３通信装置をさらに備え、
前記第３通信装置は、
前記第１通信装置および前記第２通信装置と通信する第３通信部と、
前記第３通信部を介して取得した、前記第３通信装置と前記第２通信装置の間の通信品質および前記第２通信装置の受信ウィンドウサイズと、過去一定期間の平均スループットとに基づいて、前記第２通信装置への通信機会の割り当てをスケジューリングする第３スケジューラと
を備えることを特徴とする通信システム。
【請求項４】
請求項３に記載の通信システムであって、
前記第３通信装置は、前記受信ウィンドウサイズを前記第３通信部に送信させる第３制御部をさらに備え、
前記第１スケジューラは、前記第２通信装置から直接および前記第３通信装置を介して取得した、前記第３通信装置と前記第２装置の間の通信品質および過去一定期間の平均スループットと、前記第２通信装置の受信ウィンドウサイズとに基づいて、前記第２通信装置および前記第３通信装置への通信機会の割り当てをスケジューリングする
ことを特徴とする通信システム。
【請求項５】
第１通信装置および当該第１通信装置と通信可能な第２通信装置を含む通信システムにおいて、当該第１通信装置は、
前記第２通信装置と通信する第１通信部と、
前記第１通信部を介して取得した、前記第１通信装置と前記第２通信装置の間の通信品質および前記第２通信装置の受信ウィンドウサイズと、過去一定期間の平均スループットとに基づいて、前記第２通信装置への通信機会の割り当てをスケジューリングする第１スケジューラと
を備えることを特徴とする第１通信装置。
【請求項６】
第１通信装置および当該第１通信装置と通信可能な第２通信装置を含む通信システムにおいて、当該第２通信装置は、
前記第１通信装置と通信する第２通信部と、
受信ウィンドウサイズを通信状況に基づいて決定するウィンドウサイズ決定部と、
前記受信ウィンドウサイズを前記第２通信部に送信させる第２制御部とを備えることを特徴とする第２通信装置。
【請求項７】
第１通信装置および当該第１通信装置と通信可能な第２通信装置を含む通信システムにおける通信方法であって、
前記第１通信部を介して取得した、前記第１通信装置と前記第２通信装置の間の通信品質および前記第２通信装置の受信ウィンドウサイズと、過去一定期間の平均スループットとに基づいて、前記第２通信装置への通信機会の割り当てをスケジューリングするステップ
を含むことを特徴とする通信方法。
【発明の詳細な説明】
【技術分野】
【０００１】
本発明は、通信システム、通信装置および通信方法に関し、特に通信機会をスケジュ−リングする通信システム、通信装置および通信方法に関するものである。
【背景技術】
【０００２】
無線通信システムにおいて、基地局は、どの通信端末に通信機会を与えるかを決定するためのスケジューリングを行う。セル全体のスループットの向上や各通信端末への公平な通信機会の割り当てなどの観点から様々なスケジューリング方式が提案されている。
【０００３】
スケジューリング方式としては、例えば、Ｍａｘ  ＣＩＲ（Maximum Carrier to Interference power Ratio）方式、ラウンドロビン（Round Robin）方式、および、プロポーショナルフェアネス（Proportional Fairness）方式などが知られている。
【０００４】
Ｍａｘ  ＣＩＲ方式は、最も基地局との間の通信品質が良い（すなわち、ＣＩＲが最大の）通信端末に通信機会を与えるスケジューリング方式である。Ｍａｘ  ＣＩＲ方式は、総スループットの向上の観点からは優れているものの、各通信端末への通信機会の公平な割り当ての観点からは好ましくない。通信品質の良い環境にある通信端末のみが優先的に通信機会を与えられ、通信環境の悪い環境にある通信端末は通信機会が与えられないからである。
【０００５】
ラウンドロビン方式は、各通信端末に対し順番に通信機会を割り当てるスケジューリング方式である。ラウンドロビン方式は、各通信端末へ通信機会を公平に割り当てることができるが、総スループット向上の観点からは好ましくない。通信環境が悪く低スループットしか達成できない通信端末にも公平に通信機会を割り当ててしまうからである。
【０００６】
プロポーショナルフェアネス方式は、総スループットの向上および通信機会の公平な割り当ての両立を目的とする方式である。プロポーショナルフェアネス方式は、各通信端末への送信機会を、優先度Ｐを指標として割り当てる方式であり、優先度Ｐは、
Ｐ＝Ｆ（Ｍ、Ｔ）
のように指標ＭおよびＴを引数とする関数Ｆにより計算することができる。ここで、指標ＭおよびＴは、
Ｍ：通信端末の現在の変調方式および符号化率に対応
Ｔ：通信端末の過去一定期間の平均スループットに対応
と定義される指標である。関数Ｆの一例としては、
Ｐ＝（ＳＩＮＲ）／（過去一定期間の平均スループット）
などが挙げられる。ここで、ＳＩＮＲ（Signal to Interference and Noise Ratio）は、基地局と通信端末との間の通信品質を表し、指標Ｍ（すなわち、通信端末の現在の変調方式および符号化率）と関連付けられる。
【０００７】
プロポーショナルフェアネス方式は、上述のように、現在の変調方式および符号化率（すなわちＳＩＮＲ）が大きい通信端末の優先度Ｐを大きくすることにより総スループットを向上させ、また、過去一定期間の平均スループットが小さい通信端末の優先度Ｐを大きくすることにより通信機会を公平に割り当てようとする方式である。
【先行技術文献】
【特許文献】
【０００８】
【特許文献１】特開２００５−２７７７０４号公報
【発明の概要】
【発明が解決しようとする課題】
【０００９】
上述のようにプロポーショナルフェアネス方式は、総スループットの向上および通信機会の公平な割り当ての両立をバランス良く実現しているように見える。しかしながら、プロポーショナルフェアネス方式は、通信端末の受信ウィンドウサイズを考慮していないため、例えば、通信環境が同等で受信ウィンドウサイズが異なる複数の通信端末がある場合に、同等の通信機会を与えてしまう。しかしながら、受信ウィンドウサイズが異なると送信側が送信できるデータのサイズが異なるため、このような場合は、プロポーショナルフェアネス方式によるスケジューリングでは各通信端末のスループットは同等にならない。ここで、受信ウィンドウサイズについて以下に説明する。
【００１０】
ＴＣＰ（Transmission Control Protocol）接続において、通信端末は、受信データを一時的にバッファに蓄え必要に応じてバッファからデータを取り出す（例えば、特許文献１参照）。受信ウィンドウサイズとは、送信側が通信端末のバッファに受信確認されていないデータをどれだけ送信できるかを規定するサイズである。受信ウィンドウサイズは、通信端末から送信側へ伝えられ、送信側は受信ウィンドウサイズに応じて送信するデータのサイズを決定する。
【００１１】
近年は、Windows Vista（登録商標）やWindows 7（登録商標）などのように、通信状況などに応じて受信ウィンドウサイズを自動チューニングするＯＳが増えているので、様々な値の受信ウィンドウサイズを設定された通信端末がセル内に存在することが増えると想定される。
【００１２】
送信側は受信ウィンドウサイズに応じて、受信ウィンドウサイズが大きい通信端末に対しては大きいデータサイズのデータを送信し、受信ウィンドウサイズが小さい通信端末に対しては小さいデータサイズのデータを送信する。
【００１３】
したがって、プロポーショナルフェア方式でスケジューリングした場合、同等の通信環境にある通信端末には同等の通信機会が与えられるが、受信ウィンドウサイズが異なる場合、受信ウィンドウサイズが大きい通信端末には多くのデータが送信され、受信ウィンドウサイズが小さい通信端末には少ないデータが送信されることになる。
【００１４】
これは、同等の通信環境にある通信端末であっても受信ウィンドウサイズの違いによってスループットに差が生じてしまうということであり、スループットの公平性という観点からは好ましいものではない。
【００１５】
したがって、かかる点に鑑みてなされた本発明の目的は、同等の通信環境にある通信端末に対しては、受信ウィンドウサイズが異なっても同等のスループットを達成することができるように通信機会を割り当てることができるスケジューリング方式を提供することにある。
【課題を解決するための手段】
【００１６】
上記目的を達成する第１の観点に係る通信システムの発明は、
第１通信装置および当該第１通信装置と通信可能な第２通信装置を含む通信システムにおいて、
前記第１通信装置は、
前記第２通信装置と通信する第１通信部と、
前記第１通信部を介して取得した、前記第１通信装置と前記第２通信装置の間の通信品質および前記第２通信装置の受信ウィンドウサイズと、過去一定期間の平均スループットとに基づいて、前記第２通信装置への通信機会の割り当てをスケジューリングする第１スケジューラと
を備えることを特徴とする。
【００１７】
第２の観点に係る発明は、
第１の観点に係る通信システムであって、
前記第２通信装置は、
前記第１通信装置と通信する第２通信部と、
前記受信ウィンドウサイズを通信状況に基づいて決定するウィンドウサイズ決定部と、
前記受信ウィンドウサイズを前記第２通信部に送信させる第２制御部と
を備えることを特徴とする。
【００１８】
第３の観点に係る発明は、
第１の観点または第２の観点に係る通信システムであって、
さらに、前記第１通信装置と前記第２通信装置との間で送受信されるデータを中継する第３通信装置をさらに備え、
前記第３通信装置は、
前記第１通信装置および前記第２通信装置と通信する第３通信部と、
前記第３通信部を介して取得した、前記第３通信装置と前記第２通信装置の間の通信品質および前記第２通信装置の受信ウィンドウサイズと、過去一定期間の平均スループットとに基づいて、前記第２通信装置への通信機会の割り当てをスケジューリングする第３スケジューラと
を備えることを特徴とする。
【００１９】
第４の観点に係る発明は、
第３の観点に係る通信システムであって、
前記第３通信装置は、前記受信ウィンドウサイズを前記第３通信部に送信させる第３制御部をさらに備え、
前記第１スケジューラは、前記第２通信装置から直接および前記第３通信装置を介して取得した、前記第３通信装置と前記第２装置の間の通信品質および過去一定期間の平均スループットと、前記第２通信装置の受信ウィンドウサイズとに基づいて、前記第２通信装置および前記第３通信装置への通信機会の割り当てをスケジューリングする
ことを特徴とする。
【００２０】
上記目的を達成する第５の観点に係る第１通信装置の発明は、
第１通信装置および当該第１通信装置と通信可能な第２通信装置を含む通信システムにおいて、当該第１通信装置は、
前記第２通信装置と通信する第１通信部と、
前記第１通信部を介して取得した、前記第１通信装置と前記第２通信装置の間の通信品質および前記第２通信装置の受信ウィンドウサイズと、過去一定期間の平均スループットとに基づいて、前記第２通信装置への通信機会の割り当てをスケジューリングする第１スケジューラと
を備えることを特徴とする。
【００２１】
上記目的を達成する第６の観点に係る第２通信装置の発明は、
第１通信装置および当該第１通信装置と通信可能な第２通信装置を含む通信システムにおいて、当該第２通信装置は、
前記第１通信装置と通信する第２通信部と、
受信ウィンドウサイズを通信状況に基づいて決定するウィンドウサイズ決定部と、
前記受信ウィンドウサイズを前記第２通信部に送信させる第２制御部とを備えることを特徴とする。
【００２２】
上述したように本発明の解決手段を通信システムまたは通信装置として説明してきたが、本発明はこれらに実質的に相当する方法、プログラム、プログラムを記録した記憶媒体としても実現し得るものであり、本発明の範囲にはこれらも包含されるものと理解されたい。
【００２３】
例えば、本発明を通信方法として実現させた第７の観点に係る通信方法の発明は、
第１通信装置および当該第１通信装置と通信可能な第２通信装置を含む通信システムにおける通信方法であって、
前記第１通信部を介して取得した、前記第１通信装置と前記第２通信装置の間の通信品質および前記第２通信装置の受信ウィンドウサイズと、過去一定期間の平均スループットとに基づいて、前記第２通信装置への通信機会の割り当てをスケジューリングするステップ
を含むことを特徴とする。
【発明の効果】
【００２４】
本発明によれば、同等の通信環境にある通信端末に対しては、受信ウィンドウサイズが異なっても同等のスループットを達成することができるように通信機会を割り当てることができるスケジューリング方式を提供することができる。
【図面の簡単な説明】
【００２５】
【図１】本発明の第１実施形態に係る基地局の概略構成を示すブロック図である。
【図２】本発明の第１実施形態に係る通信端末の概略構成を示すブロック図である。
【図３】本発明の第１実施形態に係るスケジューリングを示すフローチャートである。
【図４】本発明の第２実施形態に係る中継装置の概略を示すブロック図である。
【発明を実施するための形態】
【００２６】
以下、本発明に係る実施形態について、図面を参照して説明する。
【００２７】
（第１実施形態）
図１は、本発明の第１実施形態に係る基地局の概略構成を示すブロック図である。基地局１０は、通信部１１０および制御部１２０を備える。
【００２８】
通信部１１０は、アンテナを介して通信端末２０からデータを受信する。受信データには、通信端末２０の通信品質および受信ウィンドウサイズが含まれる。また、通信部１１０は通信端末２０へデータを送信する。
【００２９】
制御部１２０は、基地局１０全体の機能を制御する。また、制御部１２０は、通信部１１０を介して通信端末２０とデータを送受信するにあたり、通信端末２０が基地局１０に対してデータを送信する際の変調方式および符号化率を制御する。さらに、制御部１２０は、ウィンドウサイズ検出部１２２とスケジューラ１２４とを備える。
【００３０】
ウィンドウサイズ検出部１２２は、通信端末２０から通信部１１０を介して受信した受信データから通信端末２０の受信ウィンドウサイズを検出し、当該受信ウィンドウサイズをスケジューラ１２４に提供する。
【００３１】
スケジューラ１２４は、通信端末２０が基地局１０に対してデータを送信する際の変調方式および符号化率、通信端末２０から通信部１１０を介して受信した受信データから抽出した基地局１０と通信端末２０の間の通信品質、当該受信データから抽出した過去一定期間の平均スループット、および、ウィンドウサイズ検出部１２２から受け取った通信端末２０の受信ウィンドウサイズに基づいてスケジューリングを行う。
【００３２】
スケジューラ１２４は、以下に示す優先度Ｐを指標としてスケジューリングを行う。優先度Ｐは、
Ｐ＝Ｆ（Ｍ、Ｔ、Ｗ）
のように指標Ｍ、ＴおよびＷを引数とする関数Ｆにより計算する。ここで、指標Ｍ、ＴおよびＷは、
Ｍ：通信端末の現在の変調方式および符号化率に対応
Ｔ：通信端末の過去一定期間の平均スループットに対応
Ｗ：通信端末の現在の受信ウィンドウサイズ
と定義される指標である。関数Ｆの一例としては、
Ｐ＝（ＳＩＮＲ）／（過去一定期間の平均スループット×受信ウィンドウサイズ）
などが挙げられる。
【００３３】
スケジューラ１２４は、プロポーショナルフェアネス方式と同様に、現在の変調方式および符号化率（すなわちＳＩＮＲ）が大きい通信端末２０の優先度Ｐを大きくすることにより総スループットを向上させ、また、過去一定期間の平均スループットが小さい通信端末２０の優先度Ｐを大きくすることにより通信機会を公平に割り当てようとすることができる。
【００３４】
スケジューラ１２４は、さらに、受信ウィンドウサイズが小さい通信端末２０の優先度Ｐを大きくすることにより、受信ウィンドウサイズが小さい場合は、通信端末２０が１回の通信機会に受け取るデータ量が小さいため、それを考慮して通信機会を増やすことができ、受信ウィンドウサイズが大きい場合は、通信端末２０が１回の通信機会に受け取るデータ量が大きいため、それを考慮して通信機会を減らすことができる。その結果、同等の通信環境にある通信端末２０は、受信ウィンドウサイズが異なっても、同等のスループットを達成することができる。
【００３５】
図２は、本発明の第１実施形態に係る通信端末の概略構成を示すブロック図である。通信端末２０は、通信部２１０および制御部２２０を備える。
【００３６】
通信部２１０は、アンテナを介して基地局１０からデータを受信する。また、通信部２１０は基地局１０へデータを送信する。
【００３７】
制御部２２０は、通信端末２０全体の機能を制御する。また、制御部２２０は、通信状況算出部２２２とウィンドウサイズ決定部２２４とを備える。
【００３８】
通信状況算出部２２２は、基地局１０から通信部２１０を介して受信した受信データから帯域幅遅延積（BDP: Bandwidth Delay Product）のような通信端末２０と基地局１０との間の通信状況を算出し、当該通信状況をウィンドウサイズ決定部２２４に提供する。また、通信状況算出部２２２は、基地局１０から通信部２１０を介して受信データを受信する際、ＳＩＮＲといった通信端末２０と基地局１０との間の通信品質を算出する。さらに、通信状況算出部２２２は、基地局１０から通信部２１０を介して受信データを受信した際、当該受信データを受信したときから過去一定期間における受信データの平均スループットを算出する。
【００３９】
ウィンドウサイズ決定部２２４は、通信状況算出部２２２から受け取った通信端末２０と基地局１０との間の通信状況に基づいて受信ウィンドウサイズを決定する。また、ウィンドウサイズ決定部２２４は、通信状況に加えてアプリケーション取得率も考慮して受信ウィンドウサイズを決定することもできる。
【００４０】
制御部２２０は、通信状況算出部２２２が算出した通信品質、および、過去一定期間の平均スループットと、ウィンドウサイズ決定部２２４が決定した受信ウィンドウサイズとを、送信するデータに含め、当該データを通信部２１０を介して基地局１０に送信する。
【００４１】
図３は、基地局１０の動作を示すフローチャートである。スケジューラ１２４は、通信端末２０から通信部１１０を介して受信した受信データから基地局１０と通信端末２０との間の通信品質および過去一定期間の平均スループットを抽出する（ステップＳ１０１）。ウィンドウサイズ検出部１２２は、通信端末２０から通信部１１０を介して受信した受信データから通信端末２０の受信ウィンドウサイズを検出する（ステップＳ１０２）。
【００４２】
スケジューラ１２４は、通信端末２０が基地局１０に対してデータを送信する際の変調方式および符号化率と、ステップＳ１０１で検出した基地局１０と通信端末２０との間の通信品質および過去一定期間の平均スループットと、ステップＳ１０２でウィンドウサイズ検出部１２２から受け取った通信端末２０の受信ウィンドウサイズに基づいて優先度Ｐを計算し、当該優先度Ｐに基づいてスケジューリングを行う（ステップＳ１０３）。
【００４３】
通信部１１０は、ステップＳ１０３のスケジューリングにより通信機会を得た通信端末２０に対してデータを送信する（ステップＳ１０４）。
【００４４】
このように、第１実施形態に係る通信システムによれば、通信端末２０の受信ウィンドウサイズも考慮して計算した優先度を基に基地局１０がスケジューリングを行うことにより、同等の通信環境にある通信端末２０が同等のスループットを達成することができる。
【００４５】
（第２実施形態）
図４は、本発明の第２実施形態に係る中継装置の概略構成を示すブロック図である。中継装置３０は、通信部３１０および制御部３２０を備える。
【００４６】
通信部３１０は、基地局側のアンテナを介して基地局１０との間でデータを送受信する。また、通信部３１０は、通信端末側のアンテナを介して通信端末２０との間でデータを送受信する。
【００４７】
制御部３２０は、中継装置３０全体の機能を制御する。また、制御部３２０は、通信部３１０を介して通信端末２０とデータを送受信するにあたり、通信端末２０が中継装置３０に対してデータを送信する際の変調方式および符号化率を制御する。さらに、制御部３２０は、ウィンドウサイズ検出部３２２とスケジューラ３２４とを備える。
【００４８】
ウィンドウサイズ検出部３２２は、通信端末２０から通信部３１０を介して受信した受信データから通信端末２０の受信ウィンドウサイズを検出し、当該受信ウィンドウサイズをスケジューラ３２４に提供する。
【００４９】
スケジューラ３２４は、通信端末２０が中継装置３０に対してデータを送信する際の変調方式および符号化率、通信端末２０から通信部３１０を介して受信した受信データから抽出した中継装置３０と通信端末２０の間の通信品質、当該受信データから抽出した過去一定期間の平均スループット、および、ウィンドウサイズ検出部３２２から受け取った通信端末２０の受信ウィンドウサイズに基づいてスケジューリングを行う。スケジューラ３２４の優先度Ｐを指標とするスケジューリングの実行方法は、第１実施形態における基地局１０のスケジューラ１２４と同様であるため省略する。
【００５０】
なお、第２実施形態においては、中継装置３０のスケジューラ３２４が通信端末２０に割り当てる通信機会のスケジューリングを行うとして説明したが、これに限るものではなく、図４に示すような通信システムにおいても、基地局１０のスケジューラ１２４が、通信端末２０に割り当てる通信機会のスケジューリングを行ってもよい。
【００５１】
このように、第２実施形態に係る通信システムによれば、通信端末２０の受信ウィンドウサイズも考慮して計算した優先度を基に中継装置３０または基地局１０がスケジューリングを行うことにより、同等の通信環境にある通信端末２０が同等のスループットを達成することができる。
【００５２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【００５３】
また、上述の実施例は無線通信の場合を例として説明したが、本発明は無線通信に限られるものではなく、通信端末の通信品質および受信ウィンドウサイズをフィードバックすることが可能な通信システムであれば有線通信においても実施可能である。
【００５４】
また、上述の実施例では、通信端末が、帯域幅遅延積のような当該通信端末と基地局との間の通信状況を検出し、検出結果からウィンドウサイズを決定したが、この通信状況の代わりに通信端末のレジストリで設定した値を読み込むことで、ウィンドウサイズを決定してもよい。
【００５５】
また、上述の実施例では、通信端末が、過去一定期間の平均スループットを算出したが、通信端末の代わりに、基地局が、通信端末が送信する通信品質を利用して、通信端末の代わりに過去一定期間の平均スループットを算出してもよい。この場合、基地局１０の制御部１２０が、通信端末２０から受信した受信データに含まれる通信品質を利用してスループットを算出するとともに、過去一定期間において算出しているスループットの平均値である平均スループットを併せて算出する。
【符号の説明】
【００５６】
１０  基地局
２０  通信端末
３０  中継装置
１１０  通信部
１２０  制御部
１２２  ウィンドウサイズ検出部
１２４  スケジューラ
２１０  通信部
２２０  制御部
２２２  通信状況算出部
２２４  ウィンドウサイズ決定部
３１０  通信部
３２０  制御部
３２２  ウィンドウサイズ検出部
３２４  スケジューラ
【図１】
2013030936.tif 000003
【図２】
2013030936.tif 000004
【図３】
2013030936.tif 000005
【図４】
2013030936.tif 000006